(57)【要約】【課題】  携帯端末装置のバッテリー残量に起因してジョブが正確に実行されない可能性を低くする。【解決手段】  携帯端末装置１は、（ａ）実行すべきジョブのジョブデータのデータ量を画像形成装置２へ送信し、（ｂ）ジョブの所要時間を画像形成装置２から受信し、そのジョブの所要時間に基づいて、ジョブの完了までに必要な消費電力量がバッテリー残量より多いか否かを判定し、その消費電力量がバッテリー残量より多い場合には、消費電力量およびバッテリー残量に基づいて必要受電電力を特定し、給電要求および必要受電電力を画像形成装置２へ送信し、（ｃ）必要受電電力を受電可能な、画像形成装置２からの距離を示す受電可能距離を画像形成装置２から受信し、受信した受電可能距離を表示し、（ｄ）無線受電部１２で受電開始し、（ｅ）受電開始後に、ジョブのジョブ実行要求およびジョブデータを画像形成装置２へ送信する。【選択図】  図２
2017222050.tif 000002
【特許請求の範囲】
【請求項１】
無線受電部を備える携帯端末装置と、
無線送電部を備える画像形成装置とを備え、
前記携帯端末装置は、（ａ）実行すべきジョブのジョブデータのデータ量を前記画像形成装置へ送信し、（ｂ）前記ジョブの所要時間を前記画像形成装置から受信し、前記ジョブの所要時間に基づいて、前記ジョブの完了までに必要な消費電力量がバッテリー残量より多いか否かを判定し、前記消費電力量が前記バッテリー残量より多い場合には、前記消費電力量および前記バッテリー残量に基づいて必要受電電力を特定し、給電要求および前記必要受電電力を前記画像形成装置へ送信し、（ｃ）前記必要受電電力を受電可能な、前記画像形成装置からの距離を示す受電可能距離を前記画像形成装置から受信し、受信した前記受電可能距離を表示し、（ｄ）前記無線受電部で受電開始し、（ｅ）前記受電開始後に、前記ジョブのジョブ実行要求および前記ジョブデータを前記画像形成装置へ送信し、
前記画像形成装置は、（ｆ）前記データ量を前記携帯端末装置から受信すると、前記データ量に基づいて前記ジョブの所要時間を推定して前記携帯端末装置へ送信し、（ｇ）前記給電要求および前記必要受電電力を受信すると、前記給電要求および前記必要受電電力に基づいて前記受電可能距離を特定して前記携帯端末装置へ送信し、（ｈ）前記ジョブのジョブ実行要求および前記ジョブデータを受信して前記ジョブを実行すること、
を特徴とする画像形成システム。
【請求項２】
無線送電部と、
ジョブ管理部と、
給電制御部とを備え、
前記ジョブ管理部は、実行すべきジョブのジョブデータのデータ量を携帯端末装置から受信すると、前記データ量に基づいて前記ジョブの所要時間を推定して前記携帯端末装置へ送信し、
前記給電制御部は、給電要求および必要受電電力を前記携帯端末装置から受信すると、前記給電要求および前記必要受電電力に基づいて、前記必要受電電力を受電可能な、前記画像形成装置からの距離を示す受電可能距離を特定して前記携帯端末装置へ送信し、前記受電可能距離の送信後に前記無線送電部で送電開始し、
前記ジョブ管理部は、前記ジョブのジョブ実行要求および前記ジョブデータを前記携帯端末装置から受信して前記ジョブを実行すること、
を特徴とする画像形成装置。
【請求項３】
前記給電制御部は、前記ジョブが完了すると、前記無線送電部での送電を完了することを特徴とする請求項２記載の画像形成装置。
【請求項４】
前記ジョブ管理部は、前記無線送信部による送信開始後に、前記ジョブを実行することを特徴とする請求項２記載の画像形成装置。
【請求項５】
無線受電部と、
無線通信装置と、
ドライバーとを備え、
前記ドライバーは、（ａ）実行すべきジョブのジョブデータのデータ量を前記無線通信装置で画像形成装置へ送信し、（ｂ）前記ジョブの所要時間を前記無線通信装置で前記画像形成装置から受信し、前記ジョブの所要時間に基づいて、前記ジョブの完了までに必要な消費電力量がバッテリー残量より多いか否かを判定し、前記消費電力量が前記バッテリー残量より多い場合には、前記消費電力量および前記バッテリー残量に基づいて必要受電電力を特定し、給電要求および前記必要受電電力を前記無線通信装置で前記画像形成装置へ送信し、（ｃ）前記必要受電電力を受電可能な、前記画像形成装置からの距離を示す受電可能距離を前記無線通信装置で前記画像形成装置から受信し、受信した前記受電可能距離を表示し、（ｄ）前記無線受電部で受電開始し、（ｅ）前記受電開始後に、前記ジョブのジョブ実行要求および前記ジョブデータを前記無線通信装置で前記画像形成装置へ送信すること、
を特徴とする携帯端末装置。
【請求項６】
無線受電部および無線通信装置を備える携帯端末装置に内蔵されるコンピューターに、
（ａ）実行すべきジョブのジョブデータのデータ量を前記無線通信装置で画像形成装置へ送信するステップ、
（ｂ）前記ジョブの所要時間を前記無線通信装置で前記画像形成装置から受信し、前記ジョブの所要時間に基づいて、前記ジョブの完了までに必要な消費電力量がバッテリー残量より多いか否かを判定し、前記消費電力量が前記バッテリー残量より多い場合には、前記消費電力量および前記バッテリー残量に基づいて必要受電電力を特定し、給電要求および前記必要受電電力を前記無線通信装置で前記画像形成装置へ送信するステップ、
（ｃ）前記必要受電電力を受電可能な、前記画像形成装置からの距離を示す受電可能距離を前記無線通信装置で前記画像形成装置から受信し、受信した前記受電可能距離を表示するステップ、
（ｄ）前記無線受電部で受電開始するステップ、および
（ｅ）前記受電開始後に、前記ジョブのジョブ実行要求および前記ジョブデータを前記無線通信装置で前記画像形成装置へ送信するステップ、
を実行させることを特徴とするプログラム。
【発明の詳細な説明】
【技術分野】
【０００１】
本発明は、画像形成システム、画像形成装置、携帯端末装置、およびプログラムに関するものである。
【背景技術】
【０００２】
スマートフォンなどの携帯端末装置から複合機などの画像形成装置へ、印刷ジョブなどのジョブ要求を送信することができる。そのような携帯端末装置はバッテリーを内蔵しており、バッテリーから供給される電力で動作する。
【０００３】
ある画像形成装置は、そのような携帯端末装置へ給電する無線送電部を備えている（例えば特許文献１参照）。
【先行技術文献】
【特許文献】
【０００４】
【特許文献１】特開２０１４−１５０６３６号公報
【発明の概要】
【発明が解決しようとする課題】
【０００５】
通常、画像形成装置と携帯端末装置との間の距離が長くなるほど、携帯端末装置が受電できる電力が低くなるため、画像形成装置と携帯端末装置との間の距離によっては、ジョブが完了する前にバッテリー残量がなくなり、ジョブが正確に実行されない可能性がある。
【０００６】
本発明は、上記の問題に鑑みてなされたものであり、携帯端末装置のバッテリー残量に起因してジョブが正確に実行されない可能性が低い画像形成システム、並びに、そのシステムで使用可能な画像形成装置、携帯端末装置、およびプログラムを得ることを目的とする。
【課題を解決するための手段】
【０００７】
本発明に係る画像形成システムは、無線受電部を備える携帯端末装置と、無線送電部を備える画像形成装置とを備える。前記携帯端末装置は、（ａ）実行すべきジョブのジョブデータのデータ量を前記画像形成装置へ送信し、（ｂ）前記ジョブの所要時間を前記画像形成装置から受信し、前記ジョブの所要時間に基づいて、前記ジョブの完了までに必要な消費電力量がバッテリー残量より多いか否かを判定し、前記消費電力量が前記バッテリー残量より多い場合には、前記消費電力量および前記バッテリー残量に基づいて必要受電電力を特定し、給電要求および前記必要受電電力を前記画像形成装置へ送信し、（ｃ）前記必要受電電力を受電可能な、前記画像形成装置からの距離を示す受電可能距離を前記画像形成装置から受信し、受信した前記受電可能距離を表示し、（ｄ）前記無線受電部で受電開始し、（ｅ）前記受電開始後に、前記ジョブのジョブ実行要求および前記ジョブデータを前記画像形成装置へ送信する。前記画像形成装置は、（ｆ）前記データ量を前記携帯端末装置から受信すると、前記ジョブの所要時間を推定して前記携帯端末装置へ送信し、（ｇ）前記給電要求および前記必要受電電力を受信すると、前記給電要求および前記必要受電電力に基づいて前記受電可能距離を特定して前記携帯端末装置へ送信し、（ｈ）前記ジョブのジョブ実行要求および前記ジョブデータを受信して前記ジョブを実行する。
【０００８】
本発明に係る画像形成装置は、無線送電部と、ジョブ管理部と、給電制御部とを備える。前記ジョブ管理部は、実行すべきジョブのジョブデータのデータ量を携帯端末装置から受信すると、前記ジョブの所要時間を推定して前記携帯端末装置へ送信する。前記給電制御部は、給電要求および必要受電電力を前記携帯端末装置から受信すると、前記給電要求および前記必要受電電力に基づいて、前記必要受電電力を受電可能な、前記画像形成装置からの距離を示す受電可能距離を特定して前記携帯端末装置へ送信し、前記受電可能距離の送信後に前記無線送電部で送電開始する。前記ジョブ管理部は、前記ジョブのジョブ実行要求および前記ジョブデータを前記携帯端末装置から受信して前記ジョブを実行する。
【０００９】
本発明に係る携帯端末装置は、無線受電部と、無線通信装置と、ドライバーとを備える。前記ドライバーは、（ａ）実行すべきジョブのジョブデータのデータ量を前記無線通信装置で画像形成装置へ送信し、（ｂ）前記ジョブの所要時間を前記無線通信装置で前記画像形成装置から受信し、前記ジョブの所要時間に基づいて、前記ジョブの完了までに必要な消費電力量がバッテリー残量より多いか否かを判定し、前記消費電力量が前記バッテリー残量より多い場合には、前記消費電力量および前記バッテリー残量に基づいて必要受電電力を特定し、給電要求および前記必要受電電力を前記無線通信装置で前記画像形成装置へ送信し、（ｃ）前記必要受電電力を受電可能な、前記画像形成装置からの距離を示す受電可能距離を前記無線通信装置で前記画像形成装置から受信し、受信した前記受電可能距離を表示し、（ｄ）前記無線受電部で受電開始し、（ｅ）前記受電開始後に、前記ジョブのジョブ実行要求および前記ジョブデータを前記無線通信装置で前記画像形成装置へ送信する。
【００１０】
本発明に係るプログラムは、無線受電部および無線通信装置を備える携帯端末装置に内蔵されるコンピューターに、（ａ）実行すべきジョブのジョブデータのデータ量を前記無線通信装置で画像形成装置へ送信するステップ、（ｂ）前記ジョブの所要時間を前記無線通信装置で前記画像形成装置から受信し、前記ジョブの所要時間に基づいて、前記ジョブの完了までに必要な消費電力量がバッテリー残量より多いか否かを判定し、前記消費電力量が前記バッテリー残量より多い場合には、前記消費電力量および前記バッテリー残量に基づいて必要受電電力を特定し、給電要求および前記必要受電電力を前記無線通信装置で前記画像形成装置へ送信するステップ、（ｃ）前記必要受電電力を受電可能な、前記画像形成装置からの距離を示す受電可能距離を前記無線通信装置で前記画像形成装置から受信し、受信した前記受電可能距離を表示するステップ、（ｄ）前記無線受電部で受電開始するステップ、および（ｅ）前記受電開始後に、前記ジョブのジョブ実行要求および前記ジョブデータを前記無線通信装置で前記画像形成装置へ送信するステップを実行させる。
【発明の効果】
【００１１】
本発明によれば、携帯端末装置のバッテリー残量に起因してジョブが正確に実行されない可能性が低くなる。
【００１２】
本発明の上記又は他の目的、特徴および優位性は、添付の図面とともに以下の詳細な説明から更に明らかになる。
【図面の簡単な説明】
【００１３】
【図１】図１は、本発明の実施の形態に係る画像形成システムの構成を示す斜視図である。
【図２】図２は、図１に示す画像形成システムにおける携帯端末装置１および画像形成装置２の構成を示すブロック図である。
【図３】図３は、図１および図２に示す画像形成システムにおける携帯端末装置１および画像形成装置２の動作について説明するシーケンス図である。
【図４】図４は、図１に示す携帯端末装置１において表示される、受電可能距離を示すメッセージの一例を示す図である。
【発明を実施するための形態】
【００１４】
以下、図に基づいて本発明の実施の形態を説明する。
【００１５】
図１は、本発明の実施の形態に係る画像形成システムの構成を示す斜視図である。図１に示すシステムは、ユーザーにより携帯される携帯端末装置１、および画像形成装置２（複合機、コピー機など）を備える。
【００１６】
図２は、図１に示す画像形成システムにおける携帯端末装置１および画像形成装置２の構成を示すブロック図である。
【００１７】
携帯端末装置１は、内蔵バッテリーの電力で駆動する、例えばスマートフォンなどのポータブルデバイスであって、無線通信装置１１、無線受電部１２、表示装置１３、入力装置１４、記憶装置１５、演算処理装置１６などを備える。
【００１８】
無線通信装置１１は、無線ＬＡＮ（Local Area Network）、ブルートゥース（登録商標）などの所定の無線通信規格でデータ通信を行う内部装置である。
【００１９】
無線受電部１２は、画像形成装置２の無線送電部３５からの電力供給を無線で受け付け、無線で受電した電力を、携帯端末装置１の内部装置に供給したり、携帯端末装置１の内蔵バッテリーの充電に使用したりする。
【００２０】
表示装置１３は、ユーザーに対して操作画面などを表示する液晶ディスプレイなどといった内部装置である。入力装置１４は、ユーザー操作を検出するタッチパネルなどといった内部装置である。
【００２１】
記憶装置１５は、フラッシュメモリー、ハードディスクなどの不揮発性の記憶装置である。記憶装置１５には、プログラム２１などが記憶されている。
【００２２】
演算処理装置１６は、ＣＰＵ（Central Processing Unit）、ＲＡＭ（Random Access Memory）、ＲＯＭ（Read Only Memory）などを有するコンピューターであり、プログラム２１をＲＡＭにロードしＣＰＵで実行することで、ドライバー２２を実現する。
【００２３】
ドライバー２２は、（ａ）実行すべきジョブのジョブデータのデータ量（つまり、そのジョブに関する送信データ量）を無線通信装置１１で画像形成装置２へ送信し、（ｂ）そのジョブの所要時間を無線通信装置１１で画像形成装置２から受信し、そのジョブの所要時間に基づいて、そのジョブの完了までに必要な消費電力量が（当該携帯端末装置１の内蔵バッテリーの）バッテリー残量より多いか否かを判定する。
【００２４】
なお、この消費電力量は、例えば、この携帯端末装置１全体の消費電力（既知）にジョブの所要時間を乗じて計算される。また、バッテリー残量は、例えば、バッテリーの電圧から推定される。
【００２５】
ドライバー２２は、（ｂ１）その消費電力量がバッテリー残量より多い場合には、その消費電力量およびそのバッテリー残量に基づいて必要受電電力を特定し、給電要求および必要受電電力を無線通信装置１１で画像形成装置２へ送信し、（ｃ）その必要受電電力を受電可能な、画像形成装置２からの距離を示す受電可能距離を無線通信装置１１で画像形成装置２から受信し、受信した受電可能距離を表示装置１３で表示し、（ｄ）無線受電部１２で受電開始し、（ｅ）受電開始後に、ジョブのジョブ実行要求およびジョブデータを無線通信装置１１で画像形成装置２へ送信する。
【００２６】
なお、（ｂ２）その消費電力量がバッテリー残量以下である場合には、ドライバー２２は、給電要求を送信せずに、ジョブのジョブ実行要求およびジョブデータを無線通信装置１１で画像形成装置２へ送信する。つまり、この場合には、画像形成装置２から携帯端末装置１への給電は行われない。
【００２７】
なお、上述の必要受電電力は、例えば、その消費電力量とそのバッテリー残量との差をジョブの所要時間で除算して計算される。
【００２８】
一方、図２において、画像形成装置２は、印刷装置３１、画像読取装置３２、操作パネル３３、無線通信装置３４、無線送電部３５、記憶装置３６、およびコントローラー３７を備える。
【００２９】
印刷装置３１は、印刷画像データに基づいて１ページずつ画像を印刷用紙に電子写真方式で印刷する内部装置である。
【００３０】
画像読取装置３２は、原稿から原稿画像を読み取り、その画像データ（つまり、スキャンデータ）を生成する内部装置である。
【００３１】
操作パネル３３は、画像形成装置２の筐体表面に配置され、ユーザーに対して各種情報を表示する表示装置と、ユーザー操作を受け付ける入力装置とを有する。表示装置としては例えば液晶ディスプレイが使用される。入力装置としては、キースイッチ、タッチパネルなどが使用される。
【００３２】
無線通信装置３４は、無線ＬＡＮ、ブルートゥース（登録商標）などの所定の無線通信規格でデータ通信を行う内部装置である。
【００３３】
無線送電部３５は、電波や電磁波を使用した所定の既知の無線方式で電力供給を行う。なお、無線送電部３５（つまり、画像形成装置２）から無線受電部１２（つまり、携帯端末装置１）までの距離が長いほど、携帯端末装置１により受電される電力が小さくなる。
【００３４】
画像形成装置２が携帯端末装置１と通信を行う場合、画像形成装置２が携帯端末装置１と無線通信装置３４で直接、通信を行うようにしてもよいし、図示せぬ中継機器を介して、無線通信装置３４で通信を行うようにしてもよい。
【００３５】
また、記憶装置３６は、フラッシュメモリー、ハードディスクなどの不揮発性の記憶装置である。記憶装置３６には、プログラム４１などが記憶されている。
【００３６】
また、コントローラー３７は、コンピューター、ＡＳＩＣ（Application Specific Integrated Circuit）などを有し、画像形成装置２内の内部装置を制御する。コントローラー３７は、コンピューターでプログラム４１を実行することで、ジョブ管理部４２、および給電制御部４３を実現する。
【００３７】
ジョブ管理部４２は、印刷装置３１、画像読取装置３２などの内部装置を使用して、携帯端末装置１から受信されたジョブ要求に応じてジョブ（印刷ジョブ、ファクシミリ送信ジョブ、スキャンジョブなど）を実行する。
【００３８】
ジョブ管理部４２は、実行すべきジョブのジョブデータのデータ量を無線通信装置３４で携帯端末装置１から受信すると、そのジョブの所要時間を推定し、そのジョブの所要時間を無線通信装置３４で携帯端末装置１へ送信する。その後、ジョブ管理部４２は、そのジョブのジョブ実行要求およびジョブデータを無線通信装置３４で携帯端末装置１から受信し、ジョブを実行する。
【００３９】
なお、ジョブの所要時間は、例えば、現時点からジョブ完了時点までの時間であって、現時点のジョブのキュー状況（つまり、先行ジョブに起因する待ち時間）、携帯端末装置１と画像形成装置２との間でのジョブデータの転送時間（転送速度とデータ量との積）などから推定される。
【００４０】
給電制御部４３は、給電要求および必要受電電力を無線通信装置３４で携帯端末装置１から受信すると、その給電要求および必要受電電力に基づいて上述の受電可能距離を特定し、無線通信装置３４で携帯端末装置１へ送信し、その受電可能距離の送信後に無線送電部３５で送電開始する。
【００４１】
なお、受電可能距離は、例えば、給電制御部４３により、携帯端末装置１の機種ごとに必要受電電力と受電可能距離との対応関係を示す受電電力データに基づいて特定される。受電電力データは、例えば記憶装置３６に予め格納されている。
【００４２】
あるいは、受電電力データが、必要受電電力と基準受電可能距離との対応関係を示し、携帯端末装置１は、その携帯端末装置１の機種の受電効率情報を画像形成装置２へ送信し、給電制御部４３は、受電電力データに基づいて、まず、基準受電可能距離を特定し、基準受電可能距離に、その受電効率情報により示される受電効率（１以下）を乗じて、受電可能距離を特定するようにしてもよい。
【００４３】
また、この実施の形態では、給電制御部４３は、ジョブが完了すると、無線送電部３５での送電を完了する。
【００４４】
また、この実施の形態では、ジョブ管理部４２は、無線送信部３５による送信開始後に、ジョブを実行する。
【００４５】
次に、この実施の形態に係る画像形成システムにおける各装置の動作について説明する。図３は、図１および図２に示す画像形成システムにおける携帯端末装置１および画像形成装置２の動作について説明するシーケンス図である。
【００４６】
携帯端末装置１のドライバー２２は、入力装置１４によって、ジョブ要求のためのユーザー操作を検出すると、ジョブ要求、ジョブデータのデータ量情報、およびこの携帯端末装置１の受電効率情報を、無線通信装置１１で画像形成装置２へ送信する（ステップＳ１）。
【００４７】
画像形成装置２のジョブ管理部４２は、そのジョブ要求、データ量、および受電効率情報を、無線通信装置３４で受信する。ジョブ管理部４２は、受信したジョブ要求およびデータ量に基づいて、ジョブ所要時間を推定し（ステップＳ２）、無線通信装置３４で携帯端末装置１へ送信する（ステップＳ３）。
【００４８】
携帯端末装置１のドライバー２２は、そのジョブ所要時間を無線通信装置１１で受信する。ドライバー２２は、受信したジョブ所要時間および携帯端末装置１の消費電力に基づいて、ジョブ完了までの消費電力量を推定し（ステップＳ４）、さらに、現時点のバッテリー残量を特定し、推定した消費電力量が現時点のバッテリー残量以下であるか否かを判定する（ステップＳ５）。
【００４９】
推定した消費電力量が現時点のバッテリー残量を超えている場合、ドライバー２２は、推定した消費電力量、現時点のバッテリー残量、およびジョブ所要時間に基づいて、必要受電電力を特定し（ステップＳ６）、給電要求および特定した必要受電電力を、無線通信装置１１で画像形成装置２へ送信する（ステップＳ７）。
【００５０】
画像形成装置２のジョブ管理部４２は、その給電要求、および必要受電電力を、無線通信装置３４で受信する。ジョブ管理部４２は、受信した必要受電電力および受電効率情報に基づいて、その必要受電電力を受電可能な受電可能距離を特定し（ステップＳ８）、無線通信装置３４で携帯端末装置１へ送信する（ステップＳ９）。
【００５１】
携帯端末装置１のドライバー２２は、その受電可能距離を無線通信装置１１で受信する。ドライバー２２は、受信した受電可能距離を表示装置１３で表示する（ステップＳ１０）。
【００５２】
図４は、図１に示す携帯端末装置１において表示される、受電可能距離を示すメッセージの一例を示す図である。例えば図４に示すように、ドライバー２２は、バッテリー残量に関する警告およびその受電可能距離（図４に示す例では、３メートル）を示すメッセージ１０１、並びに、ソフトキー１０２を含むダイアログを表示装置１３で表示する。
【００５３】
ユーザーは、このダイアログを見た後、受電可能距離の範囲内に移動する。
【００５４】
他方、画像形成装置２では、その後、無線送電部３５が送電を開始する（ステップＳ１１）。画像形成装置２（つまり、無線送電部３５）が送電中であるときに携帯端末装置１（無線受電部１２）が給電可能エリアに入っていれば、携帯端末装置１（無線受電部１２）は受電を開始し（ステップＳ１２）、受電した電力を使用して、動作を継続するとともに、バッテリーを充電する。
【００５５】
そして、ユーザーは、受電可能距離の範囲内に移動した後、ジョブ実行操作を携帯端末装置１に対して行う。
【００５６】
また、携帯端末装置１では、上述の受電可能距離の表示開始後、ドライバー２２は、入力装置１４でジョブ実行操作（例えば、上述のソフトキー１０２の押下）を受け付けると、ジョブ実行要求およびジョブデータを、無線通信装置１１で画像形成装置２へ送信する（ステップＳ１４）。
【００５７】
画像形成装置２のジョブ管理部４２は、そのジョブ実行要求およびジョブデータを、無線通信装置３４で受信すると、ジョブデータに基づいて、ジョブを実行する（ステップＳ１５）。ここでは、このジョブは、印刷ジョブであって、ジョブデータは、例えばＰＤＬ（Page Description Language）で記述された印刷データであり、ジョブ管理部４２は、その印刷ジョブを、印刷装置３１を使用して実行する。
【００５８】
その後、画像形成装置２において、ジョブが完了すると、ジョブ管理部４２は、ジョブ完了通知を、無線通信装置３４で携帯端末装置１へ送信し（ステップＳ１６）、無線送電部３５は、無線送電を終了する（ステップＳ１７）。これに伴い、携帯端末装置１の無線受電部１２も無線受電を終了する（ステップＳ１８）。
【００５９】
なお、割込ジョブなどでジョブ完了が遅延した場合でも、ジョブ完了していなければ、上述のジョブ所要時間を超えて給電が継続される。そのため、ジョブの途中でバッテリー電力がなくならずに済む。
【００６０】
以上のように、上記実施の形態によれば、携帯端末装置１は、（ａ）実行すべきジョブのジョブデータのデータ量を画像形成装置２へ送信し、（ｂ）ジョブの所要時間を画像形成装置２から受信し、そのジョブの所要時間に基づいて、ジョブの完了までに必要な消費電力量がバッテリー残量より多いか否かを判定し、その消費電力量がバッテリー残量より多い場合には、消費電力量およびバッテリー残量に基づいて必要受電電力を特定し、給電要求および必要受電電力を画像形成装置２へ送信し、（ｃ）必要受電電力を受電可能な、画像形成装置２からの距離を示す受電可能距離を画像形成装置２から受信し、受信した受電可能距離を表示し、（ｄ）無線受電部１２で受電開始し、（ｅ）受電開始後に、ジョブのジョブ実行要求およびジョブデータを画像形成装置２へ送信する。
【００６１】
これにより、携帯端末装置１のバッテリー残量が少ない場合でも、画像形成装置２からの給電によってジョブを実行することができる。
【００６２】
なお、上述の実施の形態に対する様々な変更および修正については、当業者には明らかである。そのような変更および修正は、その主題の趣旨および範囲から離れることなく、かつ、意図された利点を弱めることなく行われてもよい。つまり、そのような変更および修正が請求の範囲に含まれることを意図している。
【産業上の利用可能性】
【００６３】
本発明は、例えば、画像形成装置に適用可能である。
【符号の説明】
【００６４】
１  携帯端末装置
２  画像形成装置
１１  無線通信装置
１２  無線受電部
１６  演算処理装置（コンピューターの一例）
２１  プログラム
２２  ドライバー
３５  無線送電部
４２  ジョブ管理部
４３  給電制御部
【図１】
2017222050.tif 000003
【図２】
2017222050.tif 000004
【図３】
2017222050.tif 000005
【図４】
2017222050.tif 000006